(57)【要約】【課題】消費電力を低減させることができる無線アクセスポイント装置、無線アクセスポイント装置の制御方法、無線通信システム、及びプログラムを提供すること。【解決手段】本発明にかかる無線アクセスポイント装置２０は、近距離無線通信部１０１と、無線ＬＡＮ通信部１０２と、通信検出部１０３と、起動制御部１０４と、通信検出部１０３は、近距離無線通信部１０１がユーザ端末と近距離無線通信を行ったことを検出する。起動制御部１０４は、通信検出部１０３の検出結果に基づいて、無線ＬＡＮ通信部１０２を起動させる。【選択図】図７
2014175989.tif 000002
【特許請求の範囲】
【請求項１】
近距離無線通信を行う近距離無線通信手段と、
無線ＬＡＮ通信を行う無線ＬＡＮ通信手段と、
前記近距離無線通信手段がユーザ端末と前記近距離無線通信を行ったことを検出する通信検出手段と、
前記通信検出手段の検出結果に基づいて、前記無線ＬＡＮ通信手段を起動させる起動制御手段と、
を備える無線アクセスポイント装置。
【請求項２】
前記起動制御手段は、前記無線ＬＡＮ通信手段の起動後、所定の時間を経過した場合、前記無線ＬＡＮ通信手段を停止させる請求項１に記載の無線アクセスポイント装置。
【請求項３】
前記起動制御手段は、前記無線ＬＡＮ通信手段の起動後、前記所定の時間経過前に、前記ユーザ端末から延長要求があった場合、前記所定の時間を延長する請求項２に記載の無線アクセスポイント装置。
【請求項４】
前記近距離無線通信を用いて、前記ユーザ端末の通信手段の通信能力に関する能力情報を取得する能力取得手段と、をさらに備え、
前記無線ＬＡＮ通信手段は複数存在し、
前記起動制御手段は、前記ユーザ端末の前記能力情報に基づいて、複数の前記無線ＬＡＮ通信手段のうち、前記ユーザ端末の前記通信能力に対応する無線ＬＡＮ通信手段を起動させる請求項１〜３のいずれか一項に記載の無線アクセスポイント装置
【請求項５】
前記無線ＬＡＮ通信手段と接続するためのワンタイムパスワードを生成するパスワード生成手段と、
生成された前記ワンタイムパスワードを前記無線ＬＡＮ通信手段に入力するパスワード入力手段と、をさらに備え、
前記パスワード入力手段は、前記通信検出手段の検出結果に基づいて、前記ワンタイムパスワードを前記無線ＬＡＮ通信手段に入力する請求項１〜４のいずれか一項に記載の無線アクセスポイント装置。
【請求項６】
前記近距離無線通信を用いて、無線ＬＡＮ接続の設定に必要な接続設定情報を前記ユーザ端末に送信する設定情報送信手段をさらに備える請求項１〜５のいずれか一項に記載の無線アクセスポイント装置。
【請求項７】
前記無線ＬＡＮを用いて接続された前記ユーザ端末に対して、他のユーザ端末への前記接続設定情報の送信を許可する許可手段をさらに備える請求項６に記載の無線アクセスポイント装置。
【請求項８】
近距離無線通信を行う近距離無線通信手段と、無線ＬＡＮ通信を行う無線ＬＡＮ通信手段と、を備える無線アクセスポイント装置の制御方法であって、
ユーザ端末と近距離無線通信を行うステップと、
前記ユーザ端末と前記近距離無線通信を行ったことを検出するステップと、
検出結果に基づいて、前記無線ＬＡＮ通信手段を起動させるステップと、
を備える無線アクセスポイント装置の制御方法。
【請求項９】
近距離無線通信を行う近距離無線通信手段と、無線ＬＡＮ通信を行う無線ＬＡＮ通信手段と、を有する無線アクセスポイント装置と、ユーザ端末と、を備える無線通信システムであって、
前記無線アクセスポイント装置と、前記ユーザ端末と、が前記近距離無線通信を行ったことを検出する通信検出手段と、
前記通信検出手段の検出結果に基づいて、前記無線ＬＡＮ通信手段を起動させる起動制御手段と、
を備える無線通信システム。
【請求項１０】
近距離無線通信を行う近距離無線通信手段と、無線ＬＡＮ通信を行う無線ＬＡＮ通信手段と、を備える無線アクセスポイント装置を制御するプログラムであって、
コンピュータに、
ユーザ端末と近距離無線通信を行わせるステップと、
前記ユーザ端末と前記近距離無線通信を行ったことを検出させるステップと、
検出結果に基づいて、前記無線ＬＡＮ通信手段を起動させるステップと、
を実行させるプログラム。
【発明の詳細な説明】
【技術分野】
【０００１】
本発明は、無線アクセスポイント装置、無線アクセスポイント装置の制御方法、無線通信システム、及びプログラムに関する。
【背景技術】
【０００２】
近年、ＮＦＣ（near field communication）技術の発達等により、近距離での端末間通信機能を用いて、双方向で各情報のやりとりを行うことが可能となってきた。例えば、特許文献１には、ＮＦＣを用いて、無線ＬＡＮ（Local Area Network）アクセスポイントにユーザ端末を接続する技術が開示されている。
【先行技術文献】
【特許文献】
【０００３】
【特許文献１】特開２００９−２６０６６６号公報
【発明の概要】
【発明が解決しようとする課題】
【０００４】
しかしながら、無線アクセスポイントがユーザ端末と接続されていない状態（待機状態）においても、無線アクセスポイントは、次回の接続要求を検出するために、定期的にＢｅａｃｏｎ等の送信を行う必要がある。つまり、無線アクセスポイントは、接続要求の受信待ちのため、完全に無線機能を停止することは困難である。そのため、ユーザ端末が接続されていない状態においても、無線アクセスポイントは、無駄な電力を消費してしまうという問題があった。
【０００５】
本発明は、このような問題を解決するためになされたものであり、消費電力を低減させることができる無線アクセスポイント装置、無線アクセスポイント装置の制御方法、無線通信システム、及びプログラムを提供することを目的としている。
【課題を解決するための手段】
【０００６】
本発明にかかる無線アクセスポイント装置は、近距離無線通信を行う近距離無線通信手段と、無線ＬＡＮ通信を行う無線ＬＡＮ通信手段と、前記近距離無線通信手段がユーザ端末と前記近距離無線通信を行ったことを検出する通信検出手段と、前記通信検出手段の検出結果に基づいて、前記無線ＬＡＮ通信手段を起動させる起動制御手段と、を備えるものである。
【０００７】
本発明にかかる無線アクセスポイント装置の制御方法は、近距離無線通信を行う近距離無線通信手段と、無線ＬＡＮ通信を行う無線ＬＡＮ通信手段と、を備える無線アクセスポイント装置の制御方法であって、ユーザ端末と近距離無線通信を行うステップと、前記ユーザ端末と前記近距離無線通信を行ったことを検出するステップと、検出結果に基づいて、前記無線ＬＡＮ通信手段を起動させるステップと、を備えるものである。
【０００８】
本発明にかかる無線通信システムは、近距離無線通信を行う近距離無線通信手段と、無線ＬＡＮ通信を行う無線ＬＡＮ通信手段と、を有する無線アクセスポイント装置と、ユーザ端末と、を備える無線通信システムであって、前記無線アクセスポイント装置と、前記ユーザ端末と、が前記近距離無線通信を行ったことを検出する通信検出手段と、前記通信検出手段の検出結果に基づいて、前記無線ＬＡＮ通信手段を起動させる起動制御手段と、  を備えるものである。
【０００９】
本発明にかかるプログラムは、近距離無線通信を行う近距離無線通信手段と、無線ＬＡＮ通信を行う無線ＬＡＮ通信手段と、を備える無線アクセスポイント装置を制御するプログラムであって、コンピュータに、ユーザ端末と近距離無線通信を行わせるステップと、  前記ユーザ端末と前記近距離無線通信を行ったことを検出させるステップと、検出結果に基づいて、前記無線ＬＡＮ通信手段を起動させるステップと、を実行させるものである。
【発明の効果】
【００１０】
本発明により、消費電力を低減させることができる無線アクセスポイント装置、無線アクセスポイント装置の制御方法、無線通信システム、及びプログラムを提供することができる。
【図面の簡単な説明】
【００１１】
【図１】実施の形態１にかかる無線通信システムのブロック図である。
【図２】実施の形態１にかかる無線ＬＡＮの接続動作を示すフローチャートである。
【図３】実施の形態１にかかるワンタイムパスワード期限の延長動作を示すフローチャートである。
【図４】実施の形態１にかかる無線ＬＡＮの切断動作を示すフローチャートである。
【図５】実施の形態２にかかる無線通信システムのブロック図である。
【図６】実施の形態２にかかる無線ＬＡＮの接続動作を示すフローチャートである。
【図７】本発明にかかる無線アクセスポイント装置のブロック図である。
【発明を実施するための形態】
【００１２】
＜実施の形態１＞
以下、図面を参照して本発明の実施の形態１について説明する。本実施の形態にかかる無線通信システムのブロック図を図１に示す。無線通信システムは、ユーザ端末１０と、無線アクセスポイント装置２０と、を含むシステムである。
【００１３】
＜ユーザ端末１０の構成＞
まず、ユーザ端末１０の構成について説明する。ユーザ端末１０は、無線通信機能を有する端末であり、例えば、携帯電話、スマートフォン、タブレットＰＣ、ノートＰＣ、ゲーム機等である。ユーザ端末１０は、ＮＦＣ機能部１１と、制御部１２と、メモリ１３と、通信部１４と、を有する。
【００１４】
ＮＦＣ機能部１１は、無線アクセスポイント装置２０のＮＦＣ機能部２３との間で、非接触の近距離無線通信を行う。ＮＦＣ機能部１１は、ＮＦＣ機能部２３との距離が所定の距離以下になると、自動的にＮＦＣ機能部２３との通信を開始する。
【００１５】
制御部１２は、ユーザ端末１０の各ブロックに対して命令し、ユーザ端末１０を統括的に制御する。制御部１２は、例えばＣＰＵ(Central Processing Unit)を含む演算処理部であり、メモリ１３に予め格納された処理プログラムに基づいて、各種処理を実行する。
【００１６】
メモリ１３は、例えばＲＡＭ（Random Access Memory）やＲＯＭ（Read Only Memory）等の記憶装置である。メモリ１３は、ユーザ端末１０の通信部１４を用いた無線機能の通信能力に関する情報（以下、能力情報と称す）を格納する。ここで、能力情報とは、例えば、通信部１４の通信規格の種類を示す情報、通信部１４が使用する周波数帯（２．４ＧＨｚ、５ＧＨｚ等）の情報、通信部１４の通信における変調方式を示す情報、及び通信部１４の通信における暗号化の種類を示す情報、符号化・複合化の方式を示す情報等が含まれる。また、メモリ１３は、ユーザ端末１０の識別ＩＤ（Identification）も格納する。
【００１７】
通信部１４は、制御部１２の命令に応じて、無線ＬＡＮ（Local Area Network）に接続し、無線通信を行う。具体的には、通信部１４は、無線ＬＡＮを介して、無線アクセスポイント装置２０のアクセスポイント（以下、ＡＰと称す）２４、２５と接続し、無線通信を行う。なお、通信部１４は、無線ＬＡＮだけでなく、公衆通信回線網にも接続可能であってもよい。
【００１８】
＜無線アクセスポイント装置２０の構成＞
次に、無線アクセスポイント装置２０の構成について説明する。無線アクセスポイント装置２０は、例えば、ブロードバンドルータやホームゲートウェイ等のインターネットと接続可能な中継装置である。無線アクセスポイント装置２０は、ワンタイムパスワード管理部２１と、無線制御部２２と、ＮＦＣ機能部２３と、ＡＰ（アクセスポイント）２４、２５と、メモリ２６と、を有する。
【００１９】
ワンタイムパスワード管理部２１（パスワード生成手段）は、ＡＰ２４、２５の接続に必要なパスワードを生成する。言い換えると、ワンタイムパスワード管理部２１は、ＡＰ２４、２５に対してパスワードを設定する。設定されたパスワードがＡＰ２４、２５に入力されると、ＡＰ２４、２５の無線機能が有効となる。このとき、ワンタイムパスワード管理部２１は、ＡＰ２４、２５に異なるパスワードを設定してもよい。
【００２０】
ワンタイムパスワード管理部２１が生成するパスワードは、所定の時間だけ有効なパスワードであり、所定の時間が過ぎると無効となる。なお、所定の時間は、予め設定されていてもよいし、無線アクセスポイント装置２０の管理者が適宜設定してもよい。ワンタイムパスワード管理部２１は、図示しないタイマを有し、所定の時間が経過したか否かを判定する。つまり、ワンタイムパスワード管理部２１は、パスワードの有効期限が経過したか否かを判定する。
【００２１】
無線制御部２２（通信検出手段、起動制御手段、能力取得手段、パスワード入力手段、設定情報送信手段）は、無線アクセスポイント装置２０の各ブロックに対して命令し、無線アクセスポイント装置２０を統括的に制御する。無線制御部２２は、例えばＣＰＵを含む演算処理部であり、メモリ２６に予め格納された処理プログラムに基づいて、各種処理を実行する。
【００２２】
具体的には、無線制御部２２は、ＡＰ２４、２５の起動の制御や、ＡＰ２４、２５に対するワンタイムパスワードの入力を行う。また、無線制御部２２は、ＮＦＣ機能部２３が取得したユーザ端末１０の能力情報に基づいて、起動させるＡＰを決定する。
【００２３】
さらに、無線制御部２２は、ワンタイムパスワード管理部２１に、ワンタイムパスワードを生成させる。そして、生成されたワンタイムパスワードを起動させるＡＰに対して入力する。これにより、ワンタイムパスワードが入力されたＡＰは、無線通信が可能な状態となる。そして、無線制御部２２は、ワンタイムパスワードを入力したＡＰを起動させる。さらに、ワンタイムパスワードの有効期限が経過した場合、当該ワンタイムパスワードが入力されたＡＰの起動を停止させる。なお、無線制御部２２は、ワンタイムパスワードの有効期限の延長も行うことができる。延長処理については、後述する。
【００２４】
ＮＦＣ機能部２３（近距離無線通信手段）は、ユーザ端末１０のＮＦＣ機能部１１との間で、非接触の近距離無線通信を行う。ＮＦＣ機能部２３は、ＮＦＣ機能部１１との距離が所定の距離以下になると、自動的にＮＦＣ機能部１１との通信を開始する。
【００２５】
ＮＦＣ機能部１１とＮＦＣ機能部２３との間では、ＡＰ２４、２５と、ユーザ端末１０の通信部１４との間で無線通信接続を行うための接続設定情報が送受信される。接続設定情報とは、例えば、ユーザ端末１０及び無線アクセスポイント装置２０の能力情報や識別ＩＤ等である。
【００２６】
ＮＦＣ機能部２３は、無線制御部２２の命令に応じて、無線アクセスポイント装置２０の識別ＩＤ（ＳＳＩＤ（Service Set Identifier））及び能力情報を、ＮＦＣ機能部１１に送信する。また、ＮＦＣ機能部２３は、受信したユーザ端末１０の識別ＩＤ及び能力情報を無線制御部２２に送信する。無線制御部２２は、受信したユーザ端末１０の識別ＩＤ及び能力情報をメモリ２６に格納する。
【００２７】
ＡＰ２４、２５（無線ＬＡＮ通信手段）は、ユーザ端末１０とインターネット（図示省略）との間を中継する。例えば、ＡＰ２４、２５は、無線ＬＡＮを用いてユーザ端末１０と接続され、３Ｇ回線等の公衆通信回線を用いてインターネットと接続される。なお、本実施の形態にかかる無線アクセスポイント装置２０は、マルチＳＳＩＤ機能を有する。つまり、ＡＰ２４とＡＰ２５とは、異なるＳＳＩＤを有している。
【００２８】
メモリ２６は、例えばＲＡＭやＲＯＭ等の記憶装置である。メモリ２６は、無線アクセスポイント装置２０の能力情報や、ＡＰ２４、２５のＳＳＩＤ、ＮＦＣ機能部２３が受信したユーザ端末１０の能力情報及び識別ＩＤ等を格納する。
【００２９】
＜無線ＬＡＮの接続動作＞
続いて、本実施の形態にかかる無線通信システムにおける無線ＬＡＮの接続動作について、図２のフローチャートを参照して説明する。まず、ユーザ端末１０が、無線アクセスポイント装置２０に近づくことにより、ＮＦＣ機能部１１とＮＦＣ機能部２３とが、ＮＦＣ通信（近距離無線通信）を開始する（ステップＳ１０１）。
【００３０】
無線制御部２２は、ＮＦＣ通信の開始を検出すると、ワンタイムパスワード管理部２１に期限付きワンタイムパスワードを生成させる（ステップＳ１０２）。
【００３１】
次に、ユーザ端末１０と無線アクセスポイント装置２０とは、ＮＦＣ通信を用いて、能力情報や識別ＩＤ等の情報を交換する（ステップＳ１０３）。具体的には、無線制御部２２は、ＮＦＣ通信を用いて、ユーザ端末１０の能力情報及び識別ＩＤを受信し、受信した情報をメモリ２６に格納する。また、無線制御部２２は、ＮＦＣ通信を用いて、ＡＰ２４、２５の能力情報をユーザ端末１０に送信する。
【００３２】
無線制御部２２は、受信した能力情報に基づいて、ユーザ端末１０を接続させるＡＰを決定する（ステップＳ１０４）。本実施の形態においては、無線アクセスポイント装置２０は、ＡＰ２４、２５の２つのアクセスポイントを有する。このため、無線制御部２２は、ＡＰ２４、２５のいずれかを接続先として選択する。このとき、無線制御部２２は、ユーザ端末１０の能力情報に基づいて、ユーザ端末１０の通信能力に対応するＡＰを選択する。通信能力に対応するＡＰとは、ユーザ端末１０の通信部１４の通信能力（周波数帯、変調方式、暗号化方式等）を用いて通信することができるＡＰを意味する。
【００３３】
無線制御部２２は、ステップＳ１０４において決定したＡＰに、ステップＳ１０２において生成されたワンタイムパスワードを入力する（ステップＳ１０５）。これにより、ワンタイムパスワードが入力されたＡＰは、無線ＬＡＮを用いた通信が可能となる。そして、無線制御部２２は、ワンタイムパスワードを入力したＡＰを起動させる。これにより、ワンタイムパスワードの期限内でＡＰが動作を開始する（ステップＳ１０６）。このように、無線アクセスポイント装置２０内部で、無線制御部２２が、ＡＰにパスワードを入力する。このため、ユーザは、ユーザ端末１０を用いて、ＡＰに対してワンタイムパスワードを入力する必要が無い。したがって、接続設定における利便性が向上する。さらに、生成されたワンタイムパスワードが、無線アクセスポイント装置２０外部（例えばユーザ端末１０）に送信されることはない。したがって、セキュリティを向上させることができる。
【００３４】
次に、無線制御部２２は、ＮＦＣ通信を用いて、起動させたＡＰに接続するために必要な接続設定に関する情報（接続設定情報）をユーザ端末１０に送信する（ステップＳ１０７）。ユーザ端末１０の制御部１２は、受信した接続設定情報をメモリ１３に格納する。ユーザ端末１０は、受信した接続設定情報を用いて、ステップＳ１０６において起動したＡＰに対して接続処理を行う。なお、ＡＰに対する接続処理は、公知の技術であるため、詳細な説明を省略する。
【００３５】
これにより、ユーザ端末１０の通信部１４と、無線アクセスポイント装置２０のＡＰと、が無線ＬＡＮを介して接続される。無線ＬＡＮ接続が完了すると、無線制御部２２は、ＮＦＣ機能部２３のＮＦＣ通信を終了させる（ステップＳ１０８）。これにより、ユーザ端末１０と無線アクセスポイント装置２０とが、無線ＬＡＮを介する通信を開始する（ステップＳ１０９）。
【００３６】
＜ワンタイムパスワード期限の延長動作＞
次に、本実施の形態にかかる無線通信システムにおけるワンタイムパスワード期限の延長動作について、図３のフローチャートを参照して説明する。まず、上述した手順により、ユーザ端末１０と無線アクセスポイント装置２０とが、無線ＬＡＮを介して接続される（ステップＳ２０１）。
【００３７】
次に、無線制御部２２は、ワンタイムパスワードの期限延長要求があるか否かを判定する（ステップＳ２０２）。ここで、期限延長要求とは、ワンタイムパスワードの有効期限の延長を求めることを意味するが、様々な手法を用いることができる。例えば、ユーザ端末１０と無線アクセスポイント装置２０とが、ワンタイムパスワードの期限満了前に再度ＮＦＣ通信を行うことを期限延長要求としてもよい。また、無線ＬＡＮを介して接続中のユーザ端末１０から所定の信号が送信されてくることを期限延長要求としてもよい。
【００３８】
期限延長要求があった場合（ステップＳ２０２：Ｙｅｓ）、無線制御部２２は、ワンタイムパスワードの期限を延長するように、ワンタイムパスワード管理部２１に指示する（ステップＳ２０３）。例えば、ワンタイムパスワード管理部２１は、ワンタイムパスワードの使用時間を計測しているタイマをリセットする。これにより、ワンタイムパスワードの有効期限（所定の時間）が延長される。なお、延長後のパスワードの有効期間は、最初に設定された有効期間と同様の期間でもよいし、異なる期間であってもよい。
【００３９】
一方、期限延長要求が無かった場合（ステップＳ２０２：Ｎｏ）、ワンタイムパスワードの有効期限が満了する（ステップＳ２０４）。
【００４０】
＜無線ＬＡＮの切断動作＞
ここで、ワンタイムパスワードの有効期限が満了した後（図３のステップＳ２０４）における無線ＬＡＮの切断動作について、図４のフローチャートを参照して説明する。まず、上述したワンタイムパスワードの期限の延長要求が無く、有効期限が満了する（ステップＳ３０１）。つまり、ワンタイムパスワード管理部２１は、タイマにより計測していた時間に基づいて、有効期限が満了したことを判定する。そして、ワンタイムパスワード管理部２１は、有効期限が満了したことを、無線制御部２２に通知する。
【００４１】
無線制御部２２は、ワンタイムパスワードの有効期限満了の通知を受けると、無線ＬＡＮを介して、ユーザ端末１０に無線切断指示（ＤｅＡｕｔｈ（Deauthentication）信号）を送信する（ステップＳ３０２）。ユーザ端末１０が無線切断指示を受信すると、ユーザ端末１０と無線アクセスポイント装置２０との間の無線ＬＡＮ接続が強制的に切断される。
【００４２】
無線ＬＡＮ接続が切断されると、無線制御部２２は、ＡＰの無線機能を停止させる（ステップＳ３０３）。つまり、無線制御部２２は、無線ＬＡＮ接続が切断されたＡＰの動作を自動的に停止させる。したがって、ＡＰは、ワンタイムパスワードの有効期限の満了と同時に、無線機能を停止する。このとき、ＡＰの動作停止とは、待機状態（定期的にＢｅａｃｏｎ等を送信して無線ＬＡＮ接続の受信を待つ状態）ではなく、ＡＰに電力が供給されず完全に機能を停止した状態である。その結果、有効期限満了後は、ＡＰは電力を消費しない。なお、ＡＰが動作を停止しても、ＮＦＣ機能部２３は動作を停止せず、待機状態となる。そのため、ＮＦＣ機能部２３は、次回の無線ＬＡＮの接続要求を、ＮＦＣを介して検知できる。
【００４３】
以上のように、本実施の形態にかかる無線アクセスポイント装置２０の構成によれば、ＮＦＣ機能部２３が、ユーザ端末１０とＮＦＣ通信を行う。そして、無線制御部２２は、ＮＦＣ機能部２３によるＮＦＣ通信が行われたことを検出すると、ＡＰを起動させ、無線通信機能を有効にする。このため、無線アクセスポイント装置２０は、ＮＦＣ通信が開始するまでは、ＡＰを停止させることができる。このため、ＡＰの停止中においては、ＡＰは電力を消費しない。その結果、無線アクセスポイント装置２０の待機状態における消費電力を低減させることができる。
【００４４】
また、無線アクセスポイント装置２０は、期限付きワンタイムパスワードを用いて、ＡＰ２４、２５を動作させる。このため、定期的にパスワードが更新（変更）されるため、セキュリティの向上を図ることができる。ワンタイムパスワードの期限満了後（所定の時間の経過後）においては、無線制御部２２が自動的にＡＰの動作を停止させる。このため、無駄に電力を消費することを防止できる。
【００４５】
さらに、無線アクセスポイント装置２０は、近距離通信を用いて接続設定情報を送信している。このため、無線アクセスポイント装置２０から離れた端末からは、無線設定が困難となる。その結果、不特定多数の端末と無線アクセスポイント装置２０とが接続することを防止することができ、セキュリティの向上を図ることができる。
【００４６】
加えて、無線アクセスポイント装置２０のＡＰ２４、２５は、ＮＦＣ機能部２３によるＮＦＣ通信をトリガにして起動する。そのため、無線アクセスポイント装置２０から離れた端末は、ＡＰを起動させることができない。したがって、ＡＰ２４、２５が離れた他のユーザ端末からの接続要求を検知して無用にＡＰが起動することを防止できる。その結果、消費電力の低減を図ることができる。
【００４７】
＜実施の形態２＞
本発明にかかる実施の形態２について説明する。本実施の形態にかかる無線通信システムのブロック図を図５に示す。図５に示す無線通信システムは、ユーザ端末１０、３０と、無線アクセスポイント装置２０と、を有する。
【００４８】
本実施の形態においては、無線アクセスポイント装置２０が、図１の構成に加えて、ユーザ管理部５１（許可手段）を備えている。なお、ユーザ端末１０及び無線アクセスポイント装置２０のその他の構成については図１に示した構成と同様であるので、説明を適宜省略する。
【００４９】
＜ユーザ端末３０の構成＞
ユーザ端末３０は、制御部３１と、メモリ３２と、通信部３３と、を有する。制御部３１は、ユーザ端末３０の各ブロックに対して命令し、ユーザ端末３０を統括的に制御する。制御部３１は、例えばＣＰＵを含む演算処理部であり、メモリ３２に予め格納された処理プログラムに基づいて、各種処理を実行する。
【００５０】
メモリ３２は、例えばＲＡＭやＲＯＭ等の記憶装置である。メモリ３２は、ユーザ端末３０の能力情報及び識別ＩＤを格納する。
【００５１】
通信部３３は、制御部３１の命令に応じて、無線ＬＡＮに接続し、無線通信を行う。具体的には、通信部３３は、無線ＬＡＮを介して、無線アクセスポイント装置２０のＡＰと無線通信を行う。
【００５２】
＜無線ＬＡＮの接続動作＞
続いて、本実施の形態にかかる無線通信システムにおける無線ＬＡＮの接続動作について、図６に示すフローチャートを参照して説明する。まず、上述した図２のフローチャートに基づいて、ユーザ端末１０が、無線アクセスポイント装置２０のＡＰ２４と無線ＬＡＮを介して接続される（ステップＳ４０１）。
【００５３】
無線制御部２２は、無線ＬＡＮ接続されたユーザ端末１０に対して、他のユーザ端末の接続許可・拒否の設定権限（オーナー権限）を付与する（ステップＳ４０２）。言い換えると、無線制御部２２は、ユーザ端末１０に対して、他のユーザ端末（ユーザ端末３０）への接続設定情報の送信を許可する。なお、無線制御部２２は、オーナー権限を有するユーザ端末を記憶するために、例えば、ユーザ端末１０の識別ＩＤをメモリ２６に格納する。
【００５４】
次に、ユーザ端末１０は、ユーザ端末３０と通信を行う（ステップＳ４０３）。なお、ユーザ端末１０とユーザ端末３０との通信は、通信部１４及び通信部３３を用いて行われるが、通信方式は特に限定されるものではない。例えば、赤外線通信、ｂｌｕｅｔｏｏｔｈ通信、Ｗｉ−Ｆｉダイレクト通信等を用いて、ユーザ端末１０とユーザ端末３０とが接続される。
【００５５】
ユーザ端末１０とユーザ端末３０とが接続されると、ユーザ端末１０の制御部１２は、無線アクセスポイント装置２０に対して、無線ＬＡＮを介して、ユーザ端末３０用のワンタイムパスワードの生成を要求する。そして、無線制御部２２は、ワンタイムパスワード生成の要求を受信すると、ワンタイムパスワード管理部２１にユーザ端末３０用のワンタイムパスワードを生成させる。無線制御部２２は、生成されたワンタイムパスワードを空いている（起動していない）ＡＰ２５に入力し（ステップＳ４０４）、ワンタイムパスワードを入力したＡＰを起動させる。これにより、設定したワンタイムパスワードの期限内でＡＰ２５が動作を開始する（ステップＳ４０５）。なお、ＡＰ２４とＡＰ２５に入力されたワンタイムパスワードの有効期限は、異なる期限であってもよい。
【００５６】
ユーザ端末１０の制御部１２は、ワンタイムパスワードの生成要求を送信した後、ユーザ端末３０に対して、無線ＬＡＮ接続のための接続設定情報を送信する。これにより、ユーザ端末３０は、接続設定情報を取得し、取得した接続設定情報をメモリ３２に格納する（ステップＳ４０６）。
【００５７】
ユーザ端末３０は、取得した接続設定情報を用いて、ＡＰ２５に対して接続処理を行う。これにより、ユーザ端末３０の通信部３３と、無線アクセスポイント装置２０のＡＰ２５と、が無線ＬＡＮを介して接続され、無線ＬＡＮを介する通信を開始する（ステップＳ４０７）。
【００５８】
以上のように、本実施の形態にかかる無線アクセスポイント装置２０の構成によれば、ユーザ管理部５１が、無線ＬＡＮ接続されたユーザ端末１０に対して、オーナー権限を付与する。このため、無線アクセスポイント装置２０とＮＦＣ通信を行わなくても、オーナー権限を有するユーザ端末１０と通信できれば、無線アクセスポイント装置２０のＡＰと接続することができる。したがって、無線アクセスポイント装置２０から離れた場所に存在するユーザ端末や、ＮＦＣ機能部を有さないユーザ端末であっても、無線アクセスポイント装置２０と無線ＬＡＮ通信することができる。その結果、無線ＬＡＮ接続における利便性を向上させることができる。
【００５９】
また、オーナー権限を付与されたユーザ端末が、他の端末に対して一時的に接続許可・拒否を設定できる。このため、無線アクセスポイント装置２０に直接アクセスせずに、オーナー権限を有するユーザ端末のユーザの意思で、他の端末の接続許可・拒否の設定をすることができる。
【００６０】
なお、本発明は上記実施の形態に限られたものではなく、趣旨を逸脱しない範囲で適宜変更することが可能である。例えば、近距離無線通信手段は、ＮＦＣに限られず、他の通信方式（赤外線通信、ｂｌｕｅｔｏｏｔｈ通信、Ｗｉ−Ｆｉダイレクト通信等）であってもよい。ただし、ＮＦＣの場合、操作を必要とせず、ユーザ端末を無線アクセスポイント装置２０に接近させるだけで接続されるため、ユーザの利便性を向上させることができる。
【００６１】
また、本発明にかかる無線アクセスポイント装置２０は、図７に示すように、少なくとも、近距離無線通信部１０１と、無線ＬＡＮ通信部１０２と、通信検出部１０３と、起動制御部１０４と、を備えていればよい。近距離無線通信部１０１は、ユーザ端末との間で近距離無線通信を行う。無線ＬＡＮ通信部１０２は、ユーザ端末との間で無線ＬＡＮを介する通信を行う。通信検出部１０３は、近距離無線通信部１０１がユーザ端末と近距離無線通信を行ったことを検出する。起動制御部１０４は、通信検出部１０３の検出結果に基づいて、無線ＬＡＮ通信部１０２を起動させる。これにより、近距離無線通信が行われるまでは、無線ＬＡＮ通信部１０２を停止させておくことができる。そのため、無線アクセスポイント装置２０の消費電力を低減させることができる。
【００６２】
さらに、上述の無線アクセスポイント装置及びユーザ端末の任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュメモリ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６３】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【符号の説明】
【００６４】
１０、３０  ユーザ端末
１１  ＮＦＣ機能部
１２、３１  制御部
１３、３２  メモリ
１４、３３  通信部
２０  無線アクセスポイント装置
２１  ワンタイムパスワード管理部
２２  無線制御部
２３  ＮＦＣ機能部
２４、２５  アクセスポイント（ＡＰ）
２６  メモリ
５１  ユーザ管理部
【図１】
2014175989.tif 000003
【図２】
2014175989.tif 000004
【図３】
2014175989.tif 000005
【図４】
2014175989.tif 000006
【図５】
2014175989.tif 000007
【図６】
2014175989.tif 000008
【図７】
2014175989.tif 000009